(57)【要約】【課題】  上記の従来の構成でのシャツ等の問題点は、襟首において、開度が一定に決められており、例えば、寒暑の変化のときには、襟の開度を狭く又は広くして体温の上昇・下降を簡単に防止できるようにすることが望ましい。  又、儀礼上襟を肌蹴ておくと、相手に失礼ではないかという懸念もあり、なかなか、難しい問題ではあった。【解決手段】  衣服の襟構造において、襟の開度を調節できるように、襟の開度に応じて固定できる手段を数箇所備えたことを特徴とする衣服の襟開度調節構造であって襟部は釦又は留め孔であり、衣服の本体の釦又は留め孔に対応する部位には、開度が広がる部位の数箇所に留め孔又は釦等の固定手段が設けられている衣服の襟開度調節構造【選択図】図１
2007270415.tif 000002
【特許請求の範囲】
【請求項１】
衣服の襟構造において、襟の開度を調節できるように、襟の開度に応じて固定できる手段を数箇所備えたことを特徴とする衣服の襟開度調節構造
【請求項２】
前記襟開度調節構造において、襟部には釦又は留め孔が設けられ、且つ衣服の本体の釦又は留め孔に対応する部位には、開度が広がる部位の数箇所に留め孔又は釦が設けられていることを特徴とする請求項１記載の衣服の襟開度調節構造
【請求項３】
前記襟開度調節構造において、襟部と対応する開度の広がる部位の数箇所に設けられた衣服の本体との固定手段にはホック構造を備えていることを特徴とする請求項１記載の衣服の襟開度調節構造
【請求項４】
前記襟開度調節構造において、襟部は留め孔であり、衣服の本体のこれに対応する部位には、開度が広がる部位の数箇所にも又留め孔が設けられ、これら双方を結合させる結合手段を備えていることを特徴とする請求項１記載の衣服の襟開度調節構造
【請求項５】
前記襟開度調節構造において、襟部と対応する開度の広がる部位の数箇所に設けられた衣服の本体と固定手段はマジックテープ（登録商標）による結合手段を備えていることを特徴とする請求項１記載の衣服の襟開度調節構造
【発明の詳細な説明】
【技術分野】
【０００１】
本発明は、シャツの襟首の襟構成に関し、寒暖に応じて、襟の開度が調整できるようにしたものである。
【背景技術】
【０００２】
現在、地球温暖化が刻々と進んでおり、海面上昇や気候異常が報告されている昨今である。空調機器の温度調整も炭酸ガスを大量に排出する火力発電所の電力を大きく作用する状況である。温暖化にとって、炭酸ガスを減少させることは刻下の急務であり、企業事務所や工場、や家庭での電力消費を減らそうとして、種々の試みが官民併せて進んでいる。
特に、政府推奨の省エネルックは、空調機器の夏場の温度調整で、冷房温度を上げられることで、薦められられるべき課題であるが、背広に対する礼装の観念や暑さに対する調整が難しい為なかなか進展しない。
【０００３】
これら衣服でも、温度調整が可能であれば、65億人の人口を地球が抱える現在、大きく貢献できることは理解される。特にシャツは多くの人々が着用しており、改良されるべき対象であるが、未だ進んでいない。
【特許文献１】特開２００５−５４３１４号公報
【特許文献２】実開平７−３１８０４号公報
【発明の開示】
【発明が解決しようとする課題】
【０００４】
上記の従来の構成でのシャツ等の問題点は、襟首において、開度が一定に決められており、例えば、寒暑の変化のときには、襟の開度を狭く又は広くして体温の上昇・下降を簡単に防止できる構成にはなっていない。
又、儀礼上襟を肌蹴ておくと、相手に失礼ではないかという懸念もあり、なかなか、難しい問題ではあった。従って、釦を、例え暑くても外すことははばかれていた。これが省エネルックの普及の問題点でもあった。
【０００５】
本発明は、上記の問題点を改善して、構造簡単であって、襟首における襟の開度を簡単に調整できるようにしたものであり、また儀礼上好ましい襟構造を得るものとし、老人や子供でも簡単に行うことができるもので、既製品においても容易に設けられる構造を得ることを目的とする。
【課題を解決するための手段】
【０００６】
上記の課題を解決するために本発明では、衣服の襟構造において、襟の開度を調節できるように、襟の開度に応じて固定できる手段を数箇所備えた衣服の襟開度調節構造であって、前記襟開度調節構造において、襟部には釦又は留め孔が設けられており、且つ衣服の本体の釦又は留め孔に対応する部位には、開度が広がる部位の数箇所に留め孔又は釦が設ける等の固定手段を設けるものを提供する。
【０００７】
前記襟開度調節構造において、襟部と対応する開度の広がる部位の数箇所に設けられた衣服の本体との固定手段としてホック構造を備えている衣服の襟開度調節構造を提供する。
【０００８】
前記襟開度調節構造において、襟部は留め孔であり、衣服の本体のこれに対応する部位には、開度が広がる部位の数箇所にも又留め孔が設けられ、これら
双方を結合させる結合手段を備えている衣服の襟開度調節構造を提供する。
【０００９】
前記襟開度調節構造において、襟部と対応する開度の広がる部位の数箇所に設けられた衣服の本体と固定手段はマジックテープ（登録商標）による結合手段を備えている衣服の襟開度調節構造を提供する。
【発明の効果】
【００１０】
本発明は、上記のように、襟の有る衣服において、寒暖の変化又は礼節に応じて、衣服の襟角度を、簡単に暑いときは拡げたり又は寒いときは狭めたりして、調節できるものであり、デザイン上も好ましい優れた省エネともなる衣服を提供することができる。
【発明を実施するための最良の形態】
【００１１】
本発明は、衣服の、例えばシャツ等の襟部の開口を調節する手段を設けることで実現した。
【００１２】
本発明の実施の形態を実施例に基づき、図面を参照して説明する。図１は本発明の実施例の一つである。
【００１３】
図１で示されものは、衣服の１種類であるシャツ（１）を示し、その襟部（１０）の端部（１０１）には、釦（２０）を留めるための留め孔（１０２）が開いている。詳細には、図１の（２）に示すものが、その例である。
釦（２０）の他、釦（２１）、釦（２２）が襟部（１０）の先端の端部（１０１）の留め孔（１０２）に対応して設けられている。シャツについて説明するが、男女用の炭酸ガスの上昇をもたらす空調機器の省エネともなり、襟構造のある衣服全てに適用可能である。
【００１４】
従って、襟（１０）を広げる場合には、図２に示すように、釦（２０）の位置を変えればよい。又、襟（１０）を広げる場合に、その端部（１０１）は、一応円運動の軌跡を描くので、円弧状の軌跡の位置Ａ上に釦（２０）乃至（２２）を置いておくと、捩れがなく、スムースな釦の取り付けが期待できる。
【００１５】
次に、図に示すものは、釦（２０）で取り付けられる実施例を示したが、その取付け方には、種々の具体例が考えられる。
【００１６】
例えば、図１の（３）に示すものは、ホック形式のもので、凸部側は、ホック凸部（１０３）、凹部側は、受部（２０１）となっているが、その凹凸の関係はどちらでもよい。
この関係では、前記孔開け形式のものに比べて、簡単に取り付け又は取り外しができる利点がある。
【００１７】
図１の（４）に示すものは、磁石（１０４）による固定を図るもので、その相手側（２１０）も磁石又は鉄材であっても構わない。
この関係も、相互のその位置は互換性があるので、片方が磁石の場合であって、他方が鉄材等、いずれが磁石か鉄材であってもよいのは勿論である。
【００１８】
次の実施例は、図１の（５）に示すように、逆孔形式のもので、図１の（１）（２）に示すものとは反対の関係にある。
前記実施例では、釦、ホック、磁石の場合では、デザイン的な装飾性として特徴があるが、この形式では、孔（１１０）〜（１１２）が、襟部側にないので、目立たないものとすることができ、隠し孔としても構成することが出来る。
このように、固定形式としては、種々としての特徴が挙げられるが、又下記のような実施例も考えられる。
【００１９】
図２の（１）（２）に示す例では、端部（１０１）の先端に環状の輪（１２０）があって、釦（２０）〜（２２）に嵌る形式のものを示している。
輪（１２０）は、ゴム状のもであってもよく、或いは装飾を施した紐状のもののとすることもできる。
【００２０】
図２の（３）に示すものでは、鈎状部（１３０）とそれに引っ掛かるＵ字状部（２２０）〜（２２２）との関係を示す。鈎状部（１３０）は、前記実施例の輪（１２０）と同じく、端部（１０１）の先端部へ設けることも出来、又は
端部（１０１）のやや内方に設けて外部から見えないように設けることも可能である。この関係も、鈎状部（１３０）が襟側でなく、逆の関係にあってもよい。
【００２１】
図２の（４）に示すように、マジックテープ（１４０）（２４０）（登録商標）としたものである。テープ（２４０）は伸びているので、どの部位・場所でも留めることが可能である。この種テープは、腹巻やオムツカバーなどに盛んに使用されているが、どの部位でも留められる利点がある。
勿論、連続としないで、前記のように三点にだけ設けることもできる。
【００２２】
図２の（５）に示すものは、釦の一種であるカフス（１５０）であって、シャツの本体のカフス用の孔（２５０）へ挿入固定すればよい。
この場合には、カフスが装飾を兼ねているので、外観上も洒落た好ましい感じを与えることもでき、実利と共に一石ニ鳥である。
【００２３】
図３の（１）に示すものは、襟部（１０）の端部（１０１）に留め孔（１６０）が開いており。シャツ本体のこれに対応する部位にも複数の留め孔（２６０）乃至（２６２）が開いており、この双方の留め孔を、釦又はカフス又はピンズなどの双方の留め孔同士を結合する手段によって結合・固定することができる。
【００２４】
例えば、図３の（２）に示すものは、断面から見たものであるが、襟部の端部（３０１）とシャツ本体のこれに対応する部位（３０２）を、糸（４０１）で連結された二つの釦（６１）で結合しているものである。
【００２５】
又、図３の（３）に示すものは、襟部の端部（３０１）とシャツ本体のこれに対応する部位（３０２）を鎖（４０２）で連結された二つの釦（６２）で結合しているものである。
【００２６】
次に、図３の（４）に示すものは、襟部の端部（３０１）とシャツ本体のこれに対応する部位（３０２）を凹凸係合するピンズ（６３）（６４）で結合しているものである。いずれにしても、上記実施例は、双方に開けた留め孔を結合させる部材であればよい。
【００２７】
次に、図４は、襟部に隠し孔を設けたものである。シャツ本体に複数の釦（２７０）乃至（２７２）が開いている点は、先に述べた実施例（００１３の項）と同じであるが、襟部の端部（１０１）に開けられた留め孔（１７０）は、襟部の裏にのみ開いている、表からは見えないようにして、ファッション性を持たせたものである。
【００２８】
図５は、襟部に隠し釦を設けた例である。シャツ本体に複数の留め孔（２８０）乃至（２８２）が開いてる点は、先に述べた実施例（００１８の項）と同じであるが、襟部の端部（１０１）に開けられた釦（１８０）は、襟部の裏に設けられており、表からは、見えないようにしてファッション性を持たせたものである。
【００２９】
以上、釦及び留め孔等は３箇所設けた例を示したが、勿論必要に応じて数箇所以上設けることはできるのは当然である。又シャツに限らず襟のある衣服に全てに適用しえることは勿論である。又、デザイン上も種々の固定手段により、従来にない味わいの有るものとすることができる。又既成服においても、簡単に設けることが可能である。
【００３０】
以上、上記の実施例に限定されず、本発明の技術思想に基づいて当業者によって種々の変形例が考えられるのは当然である。
【図面の簡単な説明】
【００３１】
【図１】本発明の実施例の一つである衣服の襟構造を示す。
【図２】本発明の他の実施例の衣服の襟構造を示す。
【図３】本発明の他の実施例の衣服の襟構造を示す。
【図４】本発明の他の実施例の衣服の襟構造を示す。
【図５】本発明の他の実施例の衣服の襟構造を示す。
【符号の説明】
【００３２】
１          シャツ（衣服）
１０        襟
１０１      端部
１０２      留め孔
１０４      磁石
１２０      輪
１３０      鉤
１４０      マジックテープ（登録商標）
１５０      カフス
２          釦
４０１      糸
４０２      鎖
【図１】
2007270415.tif 000003
【図２】
2007270415.tif 000004
【図３】
2007270415.tif 000005
【図４】
2007270415.tif 000006
【図５】
2007270415.tif 000007